(57)【要約】  レーザー光によるハレーションを防止し、光学系の全長が短く、かつレンズの加工・組立が容易であり、オートクレーブ時の温度変化に耐性を有する内視鏡対物光学系を提供すること。  固体撮像素子と組合せる内視鏡対物光学系であり、物体側から順に、平凹負レンズＬ１と、吸収型フィルターＦ１と、明るさ絞りＳと、平凸正レンズＬ２と、を有し、以下の条件式（１）を満足することを特徴とする。  ０．５≦ｔｇ１／ｔｌ≦０．８      （１）  ここで、ｔｇ１は、平凹負レンズＬ１の物体側面から平凸正レンズＬ２の像側面までの光軸ＡＸに沿った長さ、ｔｌは、内視鏡対物光学系の全長、である。
2017090342.tif 000002
【特許請求の範囲】
【請求項１】
固体撮像素子と組合せる内視鏡対物光学系であり、
物体側から順に、平凹負レンズと、吸収型フィルターと、明るさ絞りと、平凸正レンズと、を有し、以下の条件式（１）を満足することを特徴とする内視鏡対物光学系。
０．５≦ｔｇ１／ｔｌ≦０．８      （１）
ここで、
ｔｇ１は、前記平凹負レンズの物体側面から前記平凸正レンズの像側面までの光軸に沿った長さ、
ｔｌは、前記内視鏡対物光学系の全長、
である。
【請求項２】
前記吸収型フィルターは、赤外線吸収フィルターであることを特徴とする請求項１に記載の内視鏡対物光学系。
【請求項３】
以下の条件式（２）、（３）、（４）を満足することを特徴とする請求項１または２に記載の内視鏡対物光学系。
０．３２≦ｔｎ／φｎ≦１．４      （２）
０．３２≦ｔＩＲＣＦ／φＩＲＣＦ≦１．４      （３）
０．３２≦ｔｐ／φｐ≦１．４      （４）
ここで、
ｔｎは、前記平凹負レンズの総肉厚、
φｎは、前記平凹負レンズの外径、
ｔＩＲＣＦは、前記吸収型フィルターの肉厚、
φＩＲＣＦは、前記吸収型フィルターの外径、
ｔｐは、前記平凸正レンズの総肉厚、
φｐは、前記平凸正レンズの外径、
である。
【請求項４】
以下の条件式（２−１）、（３−１）、（４−１）、（４−２）を満足することを特徴とする請求項１〜３のいずれか１項に記載の内視鏡対物光学系。
０．９＜｜ｆｎ／ｆｔ｜＜２．１        （２−１）
０．１５≦ｔＩＲＣＦ／ｔｌ        （３−１）
１．２＜｜ｆｐ／ｆｔ｜＜１．７      （４−１）
０．８５＜｜ｔｐ’／ｒｐ｜＜１．３      （４−２）
ここで、
ｆｎは、前記平凹負レンズの焦点距離、
ｆｔは、前記内視鏡対物光学系全系の焦点距離、
ｔＩＲＣＦは、前記吸収型フィルターの肉厚、
ｔｌは、前記内視鏡対物光学系の全長、
ｆｐは、前記平凸正レンズの焦点距離、
ｔｐ’は、前記平凸正レンズの肉厚、
ｒｐは、前記平凸正レンズの凸面の曲率半径、
である。
【発明の詳細な説明】
【技術分野】
【０００１】
本発明は、内視鏡対物光学系、特に医療用途の電子内視鏡、特にレーザー光を用いた処置やオートクレーブ滅菌に対応した内視鏡対物光学系に関するものである。
【背景技術】
【０００２】
従来、医療用の内視鏡は患者への負担を減らし低侵襲な診断、治療を実現するため、体内への挿入部の小型化が必要とされている。挿入部の小型化には先端光学系の全長、外径の小型化が不可欠である。しかしながら、光学系が小型化になるにしたがって、光学素子の加工性は悪化し、組立も難しくなる。このことから生産性が悪化してしまう。【０００３】
また、再使用が可能な内視鏡においては、内視鏡の洗浄消毒が重要となる。洗浄消毒方法として、例えばオートクレーブ滅菌は、簡易で、なおかつ効果的な滅菌方法である。このため、再使用する内視鏡は、オートクレーブ滅菌に対応していることが望ましい。【０００４】
一方で、オートクレーブ滅菌では、機器を高温・高圧の水蒸気雰囲気下に置き、付着した細菌類を死滅させる。内視鏡の光学素子に関しては、その保持枠と硝材との熱膨張率が異なる。このことから、機器をオートクレーブ滅菌する場合、オートクレーブ時の温度変化により、硝材が大きな応力を受け破損することがある。そのため、光学素子は、オートクレーブに耐えられる耐久性を有することが望ましい。【０００５】
さらに、内視鏡を、尿路結石治療などレーザー光による治療に用いる場合がある。この場合、結石に照射するＮｄ−ＹＡＧレーザー（ネオジウム・ヤグレーザー、波長１０６４ｎｍ）等の破砕光が撮像素子に入射すると、内視鏡画像がハレーションしてしまう。【０００６】
また、破砕用レーザー光の照射位置を確認するために、標的用のレーザー光として可視光領域の波長、例えば赤外領域に近い波長のレーザー光を照射する場合がある。この場合、標的用のレーザー光が撮像素子に入射すると、内視鏡画像がハレーションしてしまう。【０００７】
このような内視鏡画像のハレーションを防ぐには、光学系に十分な光学的濃度を有するカットフィルターを設けることが有効である。このため、ハレーションの原因となる所定の波長域のレーザー光をカットするフィルターを光路中に挿入する。【０００８】
ここで、カットフィルターは、反射型カットフィルターと、吸収型カットフィルターとに大別される。反射型カットフィルターは、所定の波長域の光を反射し、透過させない。反射型カットフィルターを用いる場合、反射された光が、さらに光学的に望ましくないハレーションの原因となってしまう。【０００９】
これに対して、吸収型カットフィルターは、所定帯域の光をフィルターにより吸収する。このため、吸収型カットフィルターは、不要な反射光を生じない。したがって、ハレーションを防止するために、光学系に十分な光学的濃度を有する吸収型カットフィルターを光路内に配置することが望ましい。【００１０】
以上のようなことから、内視鏡対物光学系は、オートクレーブ時の力学的な耐久性を有し、レーザー光によるハレーションを防ぐための十分な厚みの吸収型カットフィルターを有し、コンパクトで生産性の良好な構成を実現することが望ましい。【００１１】
内視鏡対物光学系における光学素子の小型化や所定波長域の光をカットするフィルターを配置している構成として、例えば特許文献１、２、３に開示された構成がある。
【先行技術文献】
【特許文献】
【００１２】
【特許文献１】特開２００８−２６２１９３号公報
【特許文献２】特開２００９−２９４４９４号公報
【特許文献３】特開２００９−２８８６８２号公報
【発明の概要】
【発明が解決しようとする課題】
【００１３】
特許文献１は、小型内視鏡のための対物レンズを開示している。特許文献１は、小型で、かつ生産性の良好な光学系に関する技術に関するものである。この技術は、レンズ群ごとのパワー配分、素子の外径や曲率を規定している。【００１４】
しかしながら、特許文献１は、内視鏡の挿入部の小型化において重要な全長の短小化については考慮されていない。また、再使用が可能な内視鏡対物光学系においては、内視鏡の洗浄・消毒が必要である。このため、最も物体側の第１レンズの物体側面は、洗浄の容易な平面であることが望ましい。特許文献１の構成において、第１レンズの物体側面を平面にする場合、カバーガラスが必要である。従って、全長が長大化してしまう。【００１５】
さらに、光学系の加工・生産性は、パワー配分や外径、曲率というパラメータに加えて、光学素子の厚みと外径の関係、レンズ群の長さと全長の関係も重要な要素となる。特許文献１は、光学素子の厚みや群の長さについても考慮していないため、小型で生産性の高い光学系を実現する技術としては不十分である。【００１６】
特許文献２は、正の２群構成において、加工性を良好に保ちつつ、小型で赤外線吸収フィルターの挿入が可能な光学系を開示している。【００１７】
レーザー光によるハレーションを防ぐためには、赤外線吸収フィルターは十分な光学濃度を有することが望ましい。吸収フィルターにおいて十分な光学濃度を得るとき、赤外線吸収型フィルターの厚さが大きくなる。このため、赤外線吸収型フィルターの十分な厚さを維持しつつ、光学系全系の小型化を実現する場合、小型化が進むにつれてレンズ全長に占める赤外線吸収フィルターの厚みが大きくなる。【００１８】
特許文献２は、十分な厚みを有する赤外線吸収フィルターを光路内に挿入する場合、光線高が高くなり光学系の外径の大型化を招いてしまう。このため、特許文献２は、光学系の小型化を実現する技術としては十分ではない。【００１９】
特許文献３は、加工・組立の容易な小型の内視鏡対物光学系を開示している。特許文献３では、個々の光学部品の厚さが薄いため、加工性が悪くなってしまう。さらに、小型な光学系の場合、光学素子のサイズと比較した枠の内径やレンズ外径の寸法公差は大きくなる。そのため、厚さの薄い光学素子を用いると、傾き（チルト）偏心が大きく発生し、調整が必要になる場合がある。このため、小型の光学系において、光学素子は薄くないほうが好ましい。この点からも、特許文献３の構成は、組立性の良好な小型の光学系を実現するために十分ではない。【００２０】
本発明は、上記に鑑みてなされたものであって、レーザー光によるハレーションを防止し、光学系の全長が短く、かつレンズの加工・組立が容易であり、オートクレーブ時の温度変化に耐性を有する内視鏡対物光学系を提供することを目的とする。
【課題を解決するための手段】
【００２１】
上述した課題を解決し、目的を達成するために、本発明は、固体撮像素子と組合せる内視鏡対物光学系であって、物体側から順に、平凹負レンズと、吸収型フィルターと、明るさ絞りと、平凸正レンズと、を有し、以下の条件式（１）を満足することを特徴とする内視鏡対物光学系である。
０．５≦ｔｇ１／ｔｌ≦０．８      （１）
ここで、
ｔｇ１は、平凹負レンズの物体側面から平凸正レンズの像側面までの光軸に沿った長さ、
ｔｌは、内視鏡対物光学系の全長、
である。
【発明の効果】
【００２２】
本発明は、レーザー光によるハレーションを防止し、光学系の全長が短く、かつレンズの加工・組立が容易であり、オートクレーブ時の温度変化に耐性を有する内視鏡対物光学系を提供できるという効果を奏する。
【図面の簡単な説明】
【００２３】
【図１】実施形態に係る内視鏡対物光学系の断面構成を示す図である。
【図２】（ａ）は実施例１に係る内視鏡対物光学系の断面構成を示す図、球面収差（ＳＡ）、非点収差（ＡＳ）、歪曲収差（ＤＴ）及び倍率色収差（ＣＣ）をそれぞれ示す収差図である。
【図３】（ａ）は実施例２に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図４】（ａ）は実施例３に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図５】（ａ）は実施例４に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図６】（ａ）は実施例５に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図７】（ａ）は実施例６に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図８】（ａ）は実施例７に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図９】（ａ）は実施例８に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図１０】（ａ）は実施例９に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図１１】（ａ）は実施例１０に係る内視鏡対物光学系の断面構成を示す図、（ｂ）、（ｃ）、（ｄ）、（ｅ）は球面収差（ＳＡ）、非点収差（ＡＳ）、歪曲収差（ＤＴ）及び倍率色収差（ＣＣ）をそれぞれ示す収差図である。
【図１２】光学素子の傾きを示す図である。
【発明を実施するための形態】
【００２４】
以下に、実施形態に係る内視鏡対物光学系を図面に基づいて詳細に説明する。なお、この実施形態により、この発明が限定されるものではない。
【００２５】
図１は、実施形態に係る内視鏡対物光学系のレンズ断面を示す図である。
【００２６】
本実施形態は、固体撮像素子と組合せる内視鏡対物光学系であって、物体側から順に、物体側に平面を向けた平凹負レンズＬ１と、フレア絞りＦＳと、吸収型フィルター（平行平板）Ｆ１と、明るさ絞りＳと、物体側に平面を向けた平凸正レンズＬ２と、を有し、以下の条件式（１）を満足することを特徴とする。
０．５≦ｔｇ１／ｔｌ≦０．８      （１）
ここで、
ｔｇ１は、平凹負レンズＬ１の物体側面から平凸正レンズＬ２の像側面までの光軸ＡＸに沿った長さ、
ｔｌは、内視鏡対物光学系の全長、即ち、平凹負レンズＬ１の物体側面から像面までの光軸ＡＸに沿った長さ、
である。
【００２７】
パラメータｔｇ１は、パワーを有するレンズのほぼ全てを含む部分の長さに対応する。条件式（１）は、パラメータｔｇ１がレンズ全長に占める割合について規定している。
【００２８】
条件式（１）の下限値を下回らないことで、内視鏡対物光学系のバックフォーカスが短くなり全長の短縮化が図れる。また、個々の光学素子の厚さが大きくなり、部品の加工や把持、組立が容易になる。
【００２９】
また、光学素子の厚さが厚いことは、オートクレーブ時に保持枠から加わる熱応力に対する光学素子の耐久性向上にも寄与する。
【００３０】
また、光学素子、例えば吸収型フィルター（平行平板）Ｆ１の厚さが厚いことは、所定の波長域のレーザー光を十分な吸収によりカットできる。これにより、例えば、標的用のレーザー光による内視鏡画像のハレーションを防止できる。
【００３１】
さらに、上述したように、内視鏡を、尿路結石治療などのレーザー光による治療に用いる場合、結石にＮｄ−ＹＡＧの破砕用レーザー光を照射する。このようなレーザー光も撮像素子に入射すると、内視鏡画像がハレーションしてしまう。
【００３２】
このため、吸収型フィルターＦ１の少なくとも一方の面に、Ｎｄ−ＹＡＧレーザー光を反射する反射膜をコーティングすることが望ましい。
【００３３】
条件式（１）の上限値を上回ると、ピント調整に必要なバックフォーカス長を確保することができない。
【００３４】
条件式（１）に代えて、以下の条件式（１’）を満足することが好ましい。
０．５≦ｔｇ１／ｔｌ≦０．６５      （１’）
【００３５】
本実施形態の内視鏡対物光学系では、吸収型フィルターは、赤外線吸収フィルターであることが望ましい。
【００３６】
例えば、標的用のレーザー光として、可視である赤外域のレーザー光を用いることがある。これにより、赤外域のレーザー光をカットすることで、内視鏡画像のハレーションを低減できる。
【００３７】
また、本実施形態の内視鏡対物光学系は、以下の条件式（２）、（３）、（４）を満足することが望ましい。
０．３２≦ｔｎ／φｎ≦１．４      （２）
０．３２≦ｔＩＲＣＦ／φＩＲＣＦ≦１．４      （３）
０．３２≦ｔｐ／φｐ≦１．４      （４）
ここで、
ｔｎは、平凹負レンズＬ１の総肉厚、
φｎは、平凹負レンズＬ１の外径、
ｔＩＲＣＦは、吸収型フィルター（平行平板）Ｆ１の肉厚、
φＩＲＣＦは、吸収型フィルター（平行平板）Ｆ１の外径、
ｔｐは、平凸正レンズＬ２の総肉厚、
φｐは、平凸正レンズＬ２の外径、
である。
なお、「総肉厚」とは、光学素子の外周部の肉厚をいう。「肉厚」とは、光学素子の光軸上の肉厚をいう。
【００３８】
条件式（２）、（３）、（４）は、それぞれ平凹負レンズＬ１、吸収型フィルター（平行平板）Ｆ１、平凸正レンズＬ２の外径と厚さの関係を規定している。
【００３９】
条件式（２）、（３）、（４）の下限値を下回ると、光学系の加工・組立性が悪化し、かつオートクレーブに対する耐性も低下してしまう。
【００４０】
また、条件式（２）、（３）、（４）の下限値を下回ると、平凹負レンズＬ１、吸収型フィルター（平行平板）Ｆ１、平凸正レンズＬ２が傾き偏心を有し、非点収差、コマ収差が発生してしまう。
【００４１】
条件式（２）、（３）、（４）の上限値を上回ると、光学系全長の長大化を招いてしまう。
【００４２】
また、小型な光学系においては、製造誤差によって光学素子と枠との間に素子の外径の４％程度のクリアランスが生じる。光学性能上、クリアランスによるレンズ枠内での光学素子の傾き（チルト）は１０°以下に抑えることが望ましい。
【００４３】
図１２は、外径φを有する平行平板形状の光学素子Ｌの鏡枠ＦＲに対する傾きを示す図である。光学素子Ｌの傾きの角度αを１０°以下に抑えるには、（光学素子Ｌの総肉厚）／（光学素子Ｌの外径φ）の値は、０．３２より大きいことが必要である。
【００４４】
（光学素子Ｌの肉厚）／（光学素子Ｌの外径φ）の値、即ち条件式（２）、（３）、（４）の下限値を０．３２より大きくすることで、光学素子Ｌの角度調整が不要になり、組立性が向上する。さらに、光学素子Ｌの外径に対して肉厚を厚くするとオートクレーブ時に生じる外周部からの応力に対する耐久性も向上する。
【００４５】
条件式（２）、（３）、（４）に代えて、以下の条件式（２’）、（３’）、（４’）を満足することが好ましい。
０．３３≦ｔｎ／φｎ≦１．３４      （２’）
０．３３≦ｔＩＲＣＦ／φＩＲＣＦ≦１．３４      （３’）
０．３３≦ｔｐ／φｐ≦１．３４      （４’）
【００４６】
また、本実施形態の内視鏡対物光学系は、以下の条件式（２−１）、（３−１）、（４−１）、（４−２）を満足することが望ましい。
０．９＜｜ｆｎ／ｆｔ｜＜２．１        （２−１）
０．１５≦ｔＩＲＣＦ／ｔｌ        （３−１）
１．２＜｜ｆｐ／ｆｔ｜＜１．７      （４−１）
０．８５＜｜ｔｐ’／ｒｐ｜＜１．３      （４−２）
ここで、
ｆｎは、平凹負レンズＬ１の焦点距離、
ｆｔは、内視鏡対物光学系全系の焦点距離、
ｔＩＲＣＦは、吸収型フィルター（平行平板）Ｆ１の肉厚、
ｔｌは、内視鏡対物光学系の全長、
ｆｐは、平凸正レンズＬ１の焦点距離、
ｔｐ’は、平凸正レンズＬ１の肉厚、
ｒｐは、平凸正レンズＬ１の凸面の曲率半径、
である。
【００４７】
条件式（２−１）は、平凹負レンズＬ１と内視鏡対物光学系全体のパワー配分を規定している。
【００４８】
条件式（２−１）の上限値を上回ると、平凹負レンズＬ１の物体側の第１面への入射光線高が高くなりフレアが生じてしまう。
【００４９】
条件式（２−１）の下限値を下回ると、平凹負レンズＬ１の凹面の曲率が強くなり、レンズの加工性が悪化してしまう。
【００５０】
条件式（３−１）は、吸収型フィルター（平行平板）Ｆ１の厚みと全長の関係を規定している。上述した構成の内視鏡対物光学系において、条件式（３−１）の下限値を下回らないことで、吸収型フィルターの十分な厚さを確保できる。このため、ハレーションの原因となる波長域の光を吸収によりカットし、ハレーションを防ぐことができる。
【００５１】
条件式（４−１）は、平凸正レンズＬ２と内視鏡対物光学系全体のパワー配分を規定している。
【００５２】
条件式（４−１）の下限値を下回ると、ピント調整に必要なバックフォーカス長を確保することができない。
【００５３】
条件式（４−１）の上限値を上回ると、平凸正レンズＬ２のパワーが不足し、光学系全長が長くなってしまう。
【００５４】
条件式（４−２）は、平凸正レンズＬ２の厚さと曲率半径の関係を規定している。条件式（４−２）の下限値を下回る、または上限値を上回ると、レンズの心取り加工性が悪化してしまう。
【００５５】
（実施例１）
実施例１に係る内視鏡対物光学系について説明する。図２（ａ）は、本実施例に係る内視鏡対物光学系のレンズ断面図である。
【００５６】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００５７】
平行平板Ｆ１は、赤外線吸収フィルターである。平行平板Ｆ２と平行平板ＣＧとは接合されている。ｄ９は接着層である。
【００５８】
図２（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。諸収差図は、６５６．２７ｎｍ（Ｃ線）、５８７．５６ｎｍ（ｄ線）、５４０．０７ｎｍ（ｅ線）、４８６．１３ｎｍ（Ｆ線）及び４３５．８３ｎｍ（ｇ線）の各波長について示されている。また、各図中、ＦＮＯはＦナンバーを、”ω”は半画角を示す。以下、収差図に関しては、同様である。
【００５９】
（実施例２）
実施例２に係る内視鏡対物光学系について説明する。図３（ａ）は、本実施例に係る内視鏡対物光学系のレンズ断面図である。
【００６０】
本実施例では、物体側から順に、平凹負レンズＬ１と、フレア絞りＦＳと、平行平板Ｆ１と、明るさ絞りＳと、平凸正レンズＬ２と、凸平正レンズＬ３と、平行平板ＣＧと、から構成される。
【００６１】
平行平板Ｆ１は、赤外線吸収フィルターである。凸平正レンズＬ３は、フィールドレンズである。凸平正レンズＬ３と平行平板ＣＧとは接合されている。ｄ９は接着層である。
【００６２】
図３（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００６３】
（実施例３）
実施例３に係る内視鏡対物光学系について説明する。図４（ａ）は、本実施例に係る内視鏡対物光学系のレンズ断面図である。
【００６４】
本実施例では、物体側から順に、平凹負レンズＬ１と、フレア絞りＦＳと、平行平板Ｆ１と、明るさ絞りＳと、平凸正レンズＬ２と、凸平正レンズＬ３と、平行平板ＣＧと、から構成される。
【００６５】
平行平板Ｆ１は、赤外線吸収フィルターである。凸平正レンズＬ３は、フィールドレンズである。凸平正レンズＬ３と平行平板ＣＧとは接合されている。ｄ９は接着層である。
【００６６】
図４（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００６７】
（実施例４）
実施例４に係る内視鏡対物光学系について説明する。図５（ａ）は、本実施例に係る内視鏡対物光学系のレンズ断面図である。
【００６８】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００６９】
平行平板Ｆ１は、赤外線吸収フィルターである。平行平板Ｆ２と平行平板ＣＧとは接合されている。ｄ９は接着層である。
【００７０】
図５（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００７１】
（実施例５）
実施例５に係る内視鏡対物光学系について説明する。図６（ａ）は、本実施例に係る内視鏡対物光学系のレンズ断面図である。
【００７２】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００７３】
平行平板Ｆ１は、赤外線吸収フィルターである。平行平板Ｆ２と平行平板ＣＧとは接合されている。ｄ９は接着層である。
【００７４】
図６（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００７５】
（実施例６）
実施例６に係る内視鏡対物光学系について説明する。図７（ａ）は、本実施例に係る内視鏡対物光学系のレンズ断面図である。
【００７６】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００７７】
平行平板Ｆ１は、赤外線吸収フィルターである。平行平板Ｆ２と平行平板ＣＧとは接合されている。ｄ９は接着層である。
【００７８】
図７（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００７９】
（実施例７）
実施例７に係る内視鏡対物光学系について説明する。図８（ａ）は、本実施例に係る内視鏡対物光学系のレンズ断面図である。
【００８０】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００８１】
平行平板Ｆ１は、赤外線吸収フィルターである。平行平板Ｆ２と平行平板ＣＧとは接合されている。ｄ９は接着層である。
【００８２】
図８（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００８３】
（実施例８）
実施例８に係る内視鏡対物光学系について説明する。図９（ａ）は、本実施例に係る内視鏡対物光学系のレンズ断面図である。
【００８４】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００８５】
平行平板Ｆ１は、赤外線吸収フィルターである。平行平板Ｆ２と平行平板ＣＧとは接合されている。ｄ９は接着層である。
【００８６】
図９（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００８７】
（実施例９）
実施例９に係る内視鏡対物光学系について説明する。図１０（ａ）は、本実施例に係る内視鏡対物光学系のレンズ断面図である。
【００８８】
本実施例では、物体側から順に、平凹負レンズＬ１と、フレア絞りＦＳと、平行平板Ｆ１と、明るさ絞りＳと、平凸正レンズＬ２と、平行平板Ｆ２と、平行平板ＣＧと、から構成される。
【００８９】
平行平板Ｆ１は、赤外線吸収フィルターである。平行平板Ｆ２と平行平板ＣＧとは接合されている。ｄ９は接着層である。
【００９０】
図１０（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００９１】
（実施例１０）
実施例１０に係る内視鏡対物光学系について説明する。図１１（ａ）は、本実施例に係る内視鏡対物光学系のレンズ断面図である。
【００９２】
本実施例では、物体側から順に、平凹負レンズＬ１と、フレア絞りＦＳと、平行平板Ｆ１と、明るさ絞りＳと、平凸正レンズＬ２と、凸平正レンズＬ３と、平行平板ＣＧと、から構成される。
【００９３】
平行平板Ｆ１は、赤外線吸収フィルターである。凸平正レンズＬ３は、フィールドレンズである。凸平正レンズＬ３と平行平板ＣＧとは接合されている。ｄ９は接着層である。
【００９４】
図１１（ｂ）、（ｃ）、（ｄ）、（ｅ）は、本実施例の球面収差（ＳＡ）、非点収差（ＡＳ）、歪曲収差（ＤＴ）、倍率色収差（ＣＣ）を示す。
【００９５】
以下に、上記各実施例の数値データを示す。記号は、ｒは各レンズ面の曲率半径、ｄは各レンズ面間の間隔、ｎｅは各レンズのｅ線の屈折率、νｄは各レンズのアッベ数、ＦｎｏはＦナンバー、ωは半画角、ＩＨは像高である。また、ＥＲは有効直径、ＦＳはフレア絞り、Ｓは明るさ絞りである。Ｔ６５０は６５０ｎｍにおける吸収型フィルターの内部透過率である。
【００９６】
数値実施例１
単位  ｍｍ
面データ
面番号       r           d         ne         νd        ER
1         ∞         0.200     1.77066     71.79      0.80 
2        0.300       0.100                                  
3 (FS)    ∞         0.030                            0.30 
4         ∞         0.450     1.52300     65.13      0.50 
5 (S)     ∞         0.010                            0.17 
6         ∞         0.410     1.88815     40.76      0.55 
7       -0.427       0.474                               
8         ∞         0.300     1.51825     64.14      0.62 
9         ∞         0.020     1.50688     64.00      0.62 
10         ∞         0.300     1.61350     50.49      0.62
像面         ∞        
各種データ
焦点距離 (mm)   0.334
視野角 (°)    90.6
Fno             4.186   
T650 (%)       12.28
tl (mm)         2.29
【００９７】
数値実施例２
単位  ｍｍ
面データ
面番号       r           d         ne         νd        ER
1         ∞         0.200     1.77066     71.79      0.80 
2        0.300       0.090                                
3 (FS)    ∞         0.030                            0.30 
4         ∞         0.450     1.52300     65.13      0.50 
5 (S)     ∞         0.010                            0.16 
6         ∞         0.390     1.88815     40.76      0.55 
7       -0.459       0.520                                
8        0.951       0.340     1.51825     64.14      0.65 
9         ∞         0.020     1.50688     64.00      0.65 
10         ∞         0.300     1.61350     50.49      0.65
像面         ∞        
各種データ
焦点距離 (mm)   0.310
視野角 (°)    96.9
Fno             4.079
T650 (%)       12.28
tl (mm)         2.35
【００９８】
数値実施例３
単位  ｍｍ
面データ
面番号       r           d         ne         νd        ER
1         ∞         0.210     1.77066     71.79      0.80 
2        0.408       0.050                                
3 (FS)    ∞         0.030                            0.32 
4         ∞         0.360     1.52300     65.13      0.80 
5 (S)     ∞         0.010                            0.13 
6         ∞         0.350     1.88815     40.76      0.60 
7       -0.374       0.300                                
8        2.963       0.300     1.51825     64.14      0.62 
9         ∞         0.020     1.50688     64.00      0.62 
10         ∞         0.300     1.61350     50.49      0.62
像面         ∞  
各種データ
焦点距離 (mm)   0.336
視野角 (°)    87.5
Fno             4.182
T650 (%)       18.67
tl (mm)         1.93
【００９９】
数値実施例４
単位  ｍｍ
面データ
面番号       r           d         ne         νd        ER
1         ∞         0.300    1.77066     71.79      0.80 
2        0.540       0.050                                
3 (FS)    ∞         0.030                           0.36 
4         ∞         0.450    1.52300     65.13      0.50 
5 (S)     ∞         0.010                           0.17 
6         ∞         0.500    1.88815     40.76      0.55 
7       -0.390       0.271                                
8         ∞         0.300    1.51825     64.14      0.62 
9         ∞         0.020    1.50688     64.00      0.62 
10         ∞         0.300    1.61350     50.49      0.62
像面         ∞        
各種データ
焦点距離 (mm)   0.337
視野角 (°)    87.7
Fno             3.082
T650 (%)       12.28
tl (mm)         2.23
【０１００】
数値実施例５
単位  ｍｍ
面データ
面番号       r           d         ne         νd        ER
1         ∞         0.300    1.77066     71.79      0.80 
2        0.492       0.070                                
3 (FS)    ∞         0.030                           0.40 
4         ∞         0.570    1.52300     65.13      0.50 
5 (S)     ∞         0.010                           0.14 
6         ∞         0.500    1.88815     40.76      0.55 
7       -0.424       0.346                                
8         ∞         0.300    1.51825     64.14      0.62 
9         ∞         0.020    1.50688     64.00      0.62 
10         ∞         0.300    1.61350     50.49      0.62
像面         ∞        
各種データ
焦点距離 (mm)   0.335
視野角 (°)    87.7
Fno             4.214
T650 (%)        7.02
tl (mm)         2.45
【０１０１】
数値実施例６
単位  ｍｍ
面データ
面番号       r           d         ne         νd        ER
1         ∞         0.200    1.77066     71.79      0.80 
2        0.476       0.070                                
3 (FS)    ∞         0.030                           0.42 
4         ∞         0.670    1.52300     65.13      0.50 
5 (S)     ∞         0.010                           0.15 
6         ∞         0.390    1.88815     40.76      0.55 
7       -0.428       0.361                                
8         ∞         0.300    1.51825     64.14      0.62 
9         ∞         0.020    1.50688     64.00      0.62 
10         ∞         0.300    1.61350     50.49      0.62 
像面         ∞        
各種データ
焦点距離 (mm)   0.334
視野角 (°)    87.2
Fno             4.213 
T650 (%)        4.40
tl (mm)         2.35
【０１０２】
数値実施例７
単位  ｍｍ
面データ
面番号       r           d         ne         νd        ER
1         ∞         0.200    1.77066     71.79      0.60 
2        0.270       0.090          
3 (FS)    ∞         0.030                           0.28 
4         ∞         0.450    1.52300     65.13      0.50 
5 (S)     ∞         0.010                           0.18 
6         ∞         0.390    1.88815     40.76      0.55 
7       -0.425       0.554          
8         ∞         0.300    1.51825     64.14      0.65 
9         ∞         0.020    1.50688     64.00      0.65 
10         ∞         0.300    1.61350     50.49      0.65
像面         ∞        
各種データ
焦点距離 (mm)   0.333
視野角 (°)    87.7
Fno             4.133
T650 (%)       12.28
tl (mm)         2.34
【０１０３】
数値実施例８
単位  ｍｍ
面データ
面番号       r           d         ne         νd        ER
1         ∞         0.480     2.01169     28.27      0.60 
2        0.44        0.050         
3 (FS)    ∞         0.030                            0.24 
4         ∞         0.450     1.52300     65.13      0.50 
5 (S)     ∞         0.010                            0.20 
6         ∞         0.390     1.80922     39.59      0.55 
7       -0.416       0.650         
8         ∞         0.300     1.51825     64.14      0.65 
9         ∞         0.020     1.50688     64.00      0.65 
10         ∞         0.300     1.61350     50.49      0.65
像面         ∞        
各種データ
焦点距離 (mm)   0.428
視野角 (°)    66.0
Fno             4.063
T650 (%)       12.28 
tl (mm)         2.68
【０１０４】
数値実施例９
単位  ｍｍ
面データ
面番号       r           d         ne         νd        ER
1         ∞         0.300    2.01169     28.27      0.80 
2        0.718       0.050          
3 (FS)    ∞         0.030                           0.36 
4         ∞         0.430    1.52300     65.13      0.50 
5 (S)     ∞         0.010                           0.12 
6         ∞         0.550    2.01169     28.27      0.50 
7       -0.446       0.273          
8         ∞         0.300    1.51825     64.14      0.62 
9         ∞         0.020    1.50688     64.00      0.62 
10         ∞         0.300    1.61350     50.49      0.62
像面         ∞        
各種データ
焦点距離 (mm)   0.342
視野角 (°)    87.5
Fno             4.349
T650 (%)       13.48  
tl (mm)         2.26
【０１０５】
数値実施例１０
単位  ｍｍ
面データ
面番号       r           d         ne         νd        ER
1         ∞         0.200    1.77066     71.79      0.80
2        0.420       0.070          
3 (FS)    ∞         0.030                           0.42
4         ∞         0.560    1.52300     65.13      0.50
5 (S)     ∞         0.010                           0.15
6         ∞         0.390    1.88815     40.76      0.55
7       -0.440       0.410          
8        2.100       0.300    1.51825     64.14      0.62
9         ∞         0.020    1.50688     64.00      0.62
10         ∞         0.300    1.61350     50.49      0.62
像面         ∞        
各種データ
焦点距離 (mm)   0.333 
視野角 (°)    87.7
Fno             4.182
T650 (%)        7.35
tl (mm)         2.29
【０１０６】
各実施例の条件式対応値を以下に示す。
条件式                実施例1  実施例2  実施例3  実施例4  実施例5     
(1)   tg1/tl            0.52     0.50     0.52     0.60     0.61  
(2)   tn/φn            0.38     0.36     0.33     0.44     0.46  
(3)   tIRCF/φIRCF      0.90     0.90     0.45     0.90     1.14  
(4)   tp/φp            0.56     0.54     0.33     0.70     0.72  
(2-1) |fn/ft|           1.17     1.26     1.58     2.08     1.91   
(3-1) tIRCF/tl          0.20     0.19     0.19     0.20     0.23   
(4-1) |fp/ft|           1.44     1.67     1.25     1.30     1.43   
(4-2) |tp'/rp|          0.96     0.85     0.94     1.28     1.18  
条件式                実施例6  実施例7  実施例8  実施例9  実施例10    
(1)   tg1/tl            0.58     0.50     0.53     0.61     0.55
(2)   tn/φn            0.53     0.53     0.52     0.95     0.53
(3)   tIRCF/φIRCF      1.34     0.90     0.90     0.86     1.12
(4)   tp/φp            0.71     0.71     0.71     1.10     0.71
(2-1) |fn/ft|           1.85     1.05     1.02     2.07     1.63
(3-1) tIRCF/tl          0.28     0.19     0.17     0.19     0.24
(4-1) |fp/ft|           1.44     1.44     1.20     1.29     1.49
(4-2) |tp'/rp|          0.91     0.92     0.94     1.23     0.89
【０１０７】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【産業上の利用可能性】
【０１０８】
以上のように、本発明は、レーザー光によるハレーションを防止し、光学系の全長が短く、かつレンズの加工・組立が容易であり、オートクレーブ時の温度変化に耐性を有する内視鏡対物光学系に有用である。
【符号の説明】
【０１０９】
Ｌ１、Ｌ２  レンズ
Ｆ１、Ｆ２、ＣＧ  平行平板
ＦＳ  フレア絞り
Ｓ  明るさ絞り
ＡＸ  光軸
Ｉ  像面
【図１】
2017090342.tif 000003
【図２】
2017090342.tif 000004
【図３】
2017090342.tif 000005
【図４】
2017090342.tif 000006
【図５】
2017090342.tif 000007
【図６】
2017090342.tif 000008
【図７】
2017090342.tif 000009
【図８】
2017090342.tif 000010
【図９】
2017090342.tif 000011
【図１０】
2017090342.tif 000012
【図１１】
2017090342.tif 000013
【図１２】
2017090342.tif 000014
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
固体撮像素子と組合せる内視鏡対物光学系であり、
物体側から順に、平凹負レンズと、吸収型フィルターと、明るさ絞りと、平凸正レンズと、を有し、以下の条件式（１）、（３−１）を満足することを特徴とする内視鏡対物光学系。
０．５≦ｔｇ１／ｔｌ≦０．８      （１）
０．１５≦ｔＩＲＣＦ／ｔｌ        （３−１）
ここで、
ｔｇ１は、前記平凹負レンズの物体側面から前記平凸正レンズの像側面までの光軸に沿った長さ、
ｔｌは、前記内視鏡対物光学系の全長、
ｔＩＲＣＦは、前記吸収型フィルターの肉厚、
である。
【請求項２】
前記吸収型フィルターは、赤外線吸収フィルターであることを特徴とする請求項１に記載の内視鏡対物光学系。
【請求項３】
以下の条件式（２）、（３）、（４）を満足することを特徴とする請求項１に記載の内視鏡対物光学系。
０．３２≦ｔｎ／φｎ≦１．４      （２）
０．３２≦ｔＩＲＣＦ／φＩＲＣＦ≦１．４      （３）
０．３２≦ｔｐ／φｐ≦１．４      （４）
ここで、
ｔｎは、前記平凹負レンズの総肉厚、
φｎは、前記平凹負レンズの外径、
ｔＩＲＣＦは、前記吸収型フィルターの肉厚、
φＩＲＣＦは、前記吸収型フィルターの外径、
ｔｐは、前記平凸正レンズの総肉厚、
φｐは、前記平凸正レンズの外径、
である。
【請求項４】
以下の条件式（２−１）、（４−１）、（４−２）を満足することを特徴とする請求項１に記載の内視鏡対物光学系。
０．９＜｜ｆｎ／ｆｔ｜＜２．１        （２−１）
１．２＜｜ｆｐ／ｆｔ｜＜１．７      （４−１）
０．８５＜｜ｔｐ’／ｒｐ｜＜１．３      （４−２）
ここで、
ｆｎは、前記平凹負レンズの焦点距離、
ｆｔは、前記内視鏡対物光学系全系の焦点距離、
ｆｐは、前記平凸正レンズの焦点距離、
ｔｐ’は、前記平凸正レンズの肉厚、
ｒｐは、前記平凸正レンズの凸面の曲率半径、
である。
【手続補正２】
【補正対象書類名】明細書
【補正対象項目名】００２１
【補正方法】変更
【補正の内容】
【００２１】
上述した課題を解決し、目的を達成するために、本発明は、固体撮像素子と組合せる内視鏡対物光学系であって、物体側から順に、平凹負レンズと、吸収型フィルターと、明るさ絞りと、平凸正レンズと、を有し、以下の条件式（１）、（３−１）を満足することを特徴とする内視鏡対物光学系である。
０．５≦ｔｇ１／ｔｌ≦０．８      （１）
０．１５≦ｔＩＲＣＦ／ｔｌ        （３−１）
ここで、
ｔｇ１は、平凹負レンズの物体側面から平凸正レンズの像側面までの光軸に沿った長さ、
ｔｌは、内視鏡対物光学系の全長、
ｔＩＲＣＦは、吸収型フィルターの肉厚、
である。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
固体撮像素子と組合せる内視鏡対物光学系であり、
物体側から順に、平凹負レンズと、吸収型フィルターと、明るさ絞りと、平凸正レンズと、を有し、以下の条件式（１）、（２−１）、（３−１）、（４−１）、（４−２）を満足することを特徴とする内視鏡対物光学系。
０．５≦ｔｇ１／ｔｌ≦０．８      （１）
０．９＜｜ｆｎ／ｆｔ｜＜２．１      （２−１）
０．１５≦ｔＩＲＣＦ／ｔｌ        （３−１）
１．２＜｜ｆｐ／ｆｔ｜＜１．７      （４−１）
０．８５＜｜ｔｐ’／ｒｐ｜＜１．３      （４−２）
ここで、
ｔｇ１は、前記平凹負レンズの物体側面から前記平凸正レンズの像側面までの光軸に沿った長さ、
ｔｌは、前記内視鏡対物光学系の全長、
ｆｎは、前記平凹負レンズの焦点距離、
ｆｔは、前記内視鏡対物光学系全系の焦点距離、
ｔＩＲＣＦは、前記吸収型フィルターの光軸上の厚み、
ｆｐは、前記平凸正レンズの焦点距離、
ｔｐ’は、前記平凸正レンズの光軸上の厚み、
ｒｐは、前記平凸正レンズの凸面の曲率半径、
である。
【請求項２】
前記吸収型フィルターは、赤外線吸収フィルターであることを特徴とする請求項１に記載の内視鏡対物光学系。
【請求項３】
以下の条件式（２）、（３）、（４）を満足することを特徴とする請求項１に記載の内視鏡対物光学系。
０．３２≦ｔｎ／φｎ≦１．４      （２）
０．３２≦ｔＩＲＣＦ／φＩＲＣＦ≦１．４      （３）
０．３２≦ｔｐ／φｐ≦１．４      （４）
ここで、
ｔｎは、前記平凹負レンズの外周部の厚み、
φｎは、前記平凹負レンズの外径、
ｔＩＲＣＦは、前記吸収型フィルターの光軸上の厚み、
φＩＲＣＦは、前記吸収型フィルターの外径、
ｔｐは、前記平凸正レンズの外周部の厚み、
φｐは、前記平凸正レンズの外径、
である。
【手続補正２】
【補正対象書類名】明細書
【補正対象項目名】００２１
【補正方法】変更
【補正の内容】
【００２１】
上述した課題を解決し、目的を達成するために、本発明は、固体撮像素子と組合せる内視鏡対物光学系であって、物体側から順に、平凹負レンズと、吸収型フィルターと、明るさ絞りと、平凸正レンズと、を有し、以下の条件式（１）、（２−１）、（３−１）、（４−１）、（４−２）を満足することを特徴とする内視鏡対物光学系である。
０．５≦ｔｇ１／ｔｌ≦０．８      （１）
０．９＜｜ｆｎ／ｆｔ｜＜２．１      （２−１）
０．１５≦ｔＩＲＣＦ／ｔｌ        （３−１）
１．２＜｜ｆｐ／ｆｔ｜＜１．７      （４−１）
０．８５＜｜ｔｐ’／ｒｐ｜＜１．３      （４−２）
ここで、
ｔｇ１は、平凹負レンズの物体側面から平凸正レンズの像側面までの光軸に沿った長さ、
ｔｌは、内視鏡対物光学系の全長、
ｆｎは、平凹負レンズの焦点距離、
ｆｔは、内視鏡対物光学系全系の焦点距離、
ｔＩＲＣＦは、吸収型フィルターの光軸上の厚み、
ｆｐは、前記平凸正レンズの焦点距離、
ｔｐ’は、前記平凸正レンズの光軸上の厚み、
ｒｐは、前記平凸正レンズの凸面の曲率半径、
である。
【国際調査報告】
2017090342.tif 000015
2017090342.tif 000016
2017090342.tif 000017
2017090342.tif 000018